(57)【要約】【課題】ＦＰＣの変形やねじれを防止して耐久性を高めることができる携帯機器におけるＦＰＣ保持機構を提供する。【解決手段】第一の筐体３と第二の筐体４とがヒンジ部５，６により回動可能に連結され、これらの筐体３，４内に亘り設けられるＦＰＣ７の、前記ヒンジ部５，６内にてクランク状に屈曲した屈曲部８の両面を、保持ユニット１０により挟持して、該保持ユニット１０を前記ヒンジ部５，６に嵌合してなる携帯機器におけるフレキシブル基板保持機構１である。【選択図】　　図１
2004023034.tif 000002
【特許請求の範囲】
【請求項１】
第一の筐体と第二の筐体とがヒンジ部により回動可能に連結され、
これらの筐体内に亘り設けられるフレキシブル基板の、前記ヒンジ部内にてクランク状に屈曲した屈曲部の両面を、保持ユニットにより挟持して、
該保持ユニットを前記ヒンジ部内に配設してなることを特徴とする携帯機器におけるフレキシブル基板保持機構。
【請求項２】
前記保持ユニットのフレキシブル基板を保持する保持面は、断面凹凸形状であることを特徴とする請求項１に記載の携帯機器におけるフレキシブル基板保持機構。
【請求項３】
前記保持ユニットのフレキシブル基板を保持する保持面は、断面波形形状であることを特徴とする請求項１に記載の携帯機器におけるフレキシブル基板保持機構。
【請求項４】
回転可能に連結された第一の筐体と第二の筐体を備えた携帯機器において、前記第一の筐体と第二の筐体内に亘り設けられるフレキシブル基板を有し、該フレキシブル基板を保持する機構は、請求項１乃至３いずれか記載のフレキシブル基板保持機構であることを特徴とする携帯機器。
【発明の詳細な説明】
【０００１】
【発明の属する技術分野】
本発明は、複数の筐体をヒンジ部を介して連結してなる携帯機器におけるフレキシブル基板（ＦＰＣ）保持機構およびそれを用いた携帯機器に関するものである。
【０００２】
【従来の技術】
従来、折り畳み式の携帯機器において、折り曲げ可能で配線の自由度を確保できるＦＰＣを用いるものがある。図６は従来の携帯機器におけるＦＰＣ保持ユニットの概略平面図である。図６に示したように、折り畳み式の携帯機器２は、２つの筐体３，４がそれぞれのヒンジ部５，６を介して連結してなる構造である。
【０００３】
ＦＰＣ７は携帯機器２の筐体３，４に亘って内蔵されているため、図６に示したようにヒンジ部５，６内においてはクランク状に屈曲した屈曲部８となっている。
【０００４】
図７は図６のＡＡ矢視図である。同図に示したように、ヒンジ部５にはスリット９が形成され、このスリット９を介して筐体３側からＦＰＣ７の屈曲部８を挿入している。なお、ヒンジ部６においても、ヒンジ部５と反対方向にスリット（図示せず）が設けてあり、このスリットを介して筐体４側からＦＰＣ７の屈曲部８を挿入している。このようにＦＰＣを設けることにより、２つの筐体３，４同士の電気的導通をとることが可能となる。
【０００５】
【発明が解決しようとする課題】
しかし、従来においては、図７に示したように、ヒンジ部５，６は略中空形状に形成されており、ＦＰＣ７の屈曲部８はヒンジ部５，６のスリットにて保持されているのみであった。したがって、携帯機器２の開閉動作等によりＦＰＣ７に矢印Ｃ（図６参照）方向の力が作用すると、ＦＰＣ７はその力を吸収できず、変形しよじれを生じるおそれがあった。そして、一旦このようなよじれが生じたまま、筐体３、４の開閉を繰り返すと、変形やねじれが蓄積して一部に断線が発生するおそれがあった。
【０００６】
本発明は、このような事情に鑑みてなされたもので、ＦＰＣの変形やねじれを防止して耐久性を高めることができる携帯機器におけるＦＰＣ保持機構を提供することを目的とする。
【０００７】
【課題を解決するための手段】
上記課題を解決するために、本発明の携帯機器におけるフレキシブル基板保持機構は、第一の筐体と第二の筐体とがヒンジ部により回動可能に連結され、これらの筐体内に亘り設けられるフレキシブル基板の、前記ヒンジ部内にてクランク状に屈曲した屈曲部の両面を、保持ユニットにより挟持して、該保持ユニットを前記ヒンジ部内に配設してなることを特徴とする。
【０００８】
このようにすれば、フレキシブル基板が保持ユニットにより保持されるため、筐体の開閉動作を行っても、屈曲部を保持ユニットにより保持することができる。このため、筐体の開閉動作によりフレキシブル基板の変形やよじれ、幅方向（例えば図６の矢印Ｃ方向）への伸縮を防止することができる。したがって、フレキシブル基板の劣化が防止でき、耐久性を高めることができるとともに、携帯機器の性能の信頼性を高めることができる。
【０００９】
加えて、従来に比べて、フレキシブル基板の屈曲面を保持ユニットにて挟持して、この保持ユニットをヒンジ部に嵌合するだけでよいため、従来と作業負担をほとんど変えずに行うことが可能である。また、保持ユニットによりフレキシブル基板の保持することにより、フレキシブル基板がヒンジ部内で摺動して摩耗することから保護することができる。
【００１０】
前記フレキシブル基板保持機構は、前記保持ユニットのフレキシブル基板を保持する保持面は、断面凹凸形状であってもよい。
【００１１】
このようにすると、保持ユニットの直径よりも保持面の長さを長くすることができるため、保持ユニットの直径よりも長い屈曲部を備えたフレキシブル基板を収納することが可能となる。したがって、フレキシブル基板の耐久性を高めることができるとともに、ヒンジ部の大型化を防止することができる。また、屈曲部の長さが従来と同じ場合には、フレキシブル基板の保持ユニットの小型化を図ることができ、これに伴い、ヒンジ部の小型化および軽量化、ひいては携帯機器全体の小型化、軽量化を図ることが可能となる。
【００１２】
前記フレキシブル基板保持機構は、前記保持ユニットのフレキシブル基板を保持する保持面は、断面波形形状であってもよい。
【００１３】
このようにすると、保持ユニットの直径よりも長いフレキシブル基板を収納することが可能となるため、ヒンジ部のコンパクト化を図ることができ、ヒンジ部の小型化および軽量化、ひいては携帯機器全体の小型化、軽量化を図ることが可能となる。また、保持ユニットにより保持されるフレキシブル基板の屈曲面にかかる応力の集中を防止することができるため、フレキシブル基板の耐久性をより高めることができる。
【００１４】
【発明の実施の形態】
以下、本発明の実施の形態における携帯機器のＦＰＣ保持機構を図面と共に説明する。図１は本発明の実施の形態における携帯機器のＦＰＣ保持機構１を示す斜視図である。この部分は、図６における点線Ｂの範囲に対応している。なお、従来における携帯機器２と同様に構成されている部材については、同一の番号を付して適宜その説明を省略する。
【００１５】
図１に示したように筐体３のヒンジ部５は内部が中空の略円柱形状に形成してあるとともに、その内部に屈曲部８を有したＦＰＣ７が形成されている。このＦＰＣ７の両面を挟持するように保持ユニット１０が内部に設けてある。
【００１６】
図２は図１に示したＦＰＣ保持ユニット１０の斜視図である。保持ユニット１０は、上側保持部１１と下側保持部１２とが連結部１３を介して開閉可能に連結されている。そして、連結部１３には筐体３側に延びるＦＰＣ７の挿入可能なスリット１６が形成されている。保持ユニット１０は、上側保持部１１と下側保持部１２とを重ねた状態で、略円柱形状となるように形成され、内部が中空形状のヒンジ部５，６の内径にほぼ一致する形状となっている。これにより、図２に示したように、保持ユニット１０にＦＰＣ７を保持ユニット１０の下側保持部１２にのせた状態で、上側保持部１１を閉じて、ＦＰＣ７の屈曲部８を挟持した状態で、ヒンジ部５内に嵌合させることで、図１に示したように装着を行うことができる。
【００１７】
このように、ＦＰＣ７が保持ユニット１０により保持されるため、筐体３，４の開閉動作を行っても、屈曲部８を保持ユニット１０により保持することができる。このため、筐体３，４の開閉動作によりＦＰＣ７の変形やよじれ、幅方向（図６の矢印Ｃ方向）への伸縮を防止することができる。したがって、ＦＰＣ７の劣化が防止でき、耐久性を高めることができるとともに、携帯機器２の性能の信頼性を高めることができる。加えて、従来に比べて、ＦＰＣ７の屈曲部８を保持ユニット１０にて挟持して、この保持ユニット１０をヒンジ部５，６に嵌合するだけでよいため、従来と作業負担をほとんど変えずに行うことが可能である。また、保持ユニット１０によりＦＰＣを保持することにより、ＦＰＣ７がヒンジ部５，６内で摺動して摩耗することから保護することができる。
【００１８】
以下に前記保持ユニットの変形例について図３〜図５を用いて説明する。図３〜図５は保持ユニット２０、３０、４０の変形例を示す説明図である。図３に示した保持ユニット２０は、上側保持部２１と下側保持部２２とが完全に分離しており、それぞれの保持面２３、２４が断面略直線状の平坦面となっている。これによれば、ＦＰＣ７を両側から挟みこんでヒンジ部５，６に挿入配置することができ、形状がシンプルであるため加工が容易であるというメリットがある。
【００１９】
図４に示した保持ユニット３０は、上側保持部３１と下側保持部３２が完全に分離し、保持面３３、３４が断面略凹凸形状となっている。これによれば、保持ユニット３０の直径（図４の矢印ｓ）よりも保持面３３、３４の長さ（図４の線ｒ）を長くすることができる。このため、保持ユニット３０の直径ｓよりも長い屈曲部８を備えたＦＰＣ７を収納することが可能となる。したがって、ＦＰＣ７の耐久性を高めることができるとともに、ヒンジ部５，６の大型化を防止することができる。また、屈曲部８の長さが従来と同じ場合には、ＦＰＣ７の保持ユニット３０の小型化を図ることができ、これに伴い、ヒンジ部５，６の小型化および軽量化、ひいては携帯機器２全体の小型化、軽量化を図ることが可能となる。
【００２０】
図５に示した保持ユニット４０は、上側保持部４１と下側保持部４２が完全に分離し、保持面４３、４４が断面略波形形状となっている。これにより、上述した保持ユニット３０の作用効果に加えて、ＦＰＣ７の屈曲部８にかかる応力の集中を防止することができるため、ＦＰＣ７の耐久性をより高めることができる。なお、図３から図５に示した保持ユニット２０、３０、４０は上下の保持部を完全に分割したが、図２に示した保持ユニット１０のように開閉可能に連結した機構にしてもよい。
【００２１】
本発明は、電子計算機や携帯電話、パーソナルコンピュータ、電子手帳といった折り畳み式の携帯機器に適用することができる。また、本実施の形態においては、２つの筐体を連結した場合について説明したが、これに限らず複数の筐体を連結した場合についても同様に適用することができる。
【００２２】
【発明の効果】
以上説明したように、本発明によれば、筐体の開閉動作を妨げることなくフレキシブル基板の変形やよじれを防止することができ、フレキシブル基板の劣化が防止でき、耐久性を高めることができるとともに、携帯機器の性能の信頼性を高めることができる。加えて、ヒンジ部内に保持ユニットを搭載するだけであるため、従来と作業負担をほとんど変えずに行うことが可能であり、フレキシブル基板がヒンジ部内で摺動して摩耗することから保護することができる。
【００２３】
また、本発明において、前記保持ユニットのフレキシブル基板を保持する保持面を断面凹凸形状とすれば、フレキシブル基板の耐久性を高めることができるとともに、ヒンジ部の大型化を防止することができる。また、屈曲部の長さが従来と同じ場合には、ヒンジ部の小型化および軽量化、ひいては携帯機器全体の小型化、軽量化を図ることが可能となる。
【００２４】
また、本発明において、前記保持ユニットのフレキシブル基板を保持する保持面を断面波形形状とすれば、ヒンジ部のコンパクト化を図ることができ、ヒンジ部の小型化および軽量化、ひいては携帯機器全体の小型化、軽量化を図ることが可能となる。また、フレキシブル基板の耐久性をより高めることができる。
【図面の簡単な説明】
【図１】図１は本発明の実施の形態における携帯機器のＦＰＣ保持機構を示す斜視図である。
【図２】図１に示したＦＰＣ保持ユニットの斜視図である。
【図３】図２に示したＦＰＣ保持ユニットの変形例を示す断面図である。
【図４】図２に示したＦＰＣ保持ユニットの他の変形例を示す断面図である。
【図５】図２に示したＦＰＣ保持ユニットの他の変形例を示す断面図である。
【図６】従来の携帯機器におけるＦＰＣ保持ユニットの概略平面図である。
【図７】図６のＡＡ矢視図である。
【符号の説明】
１　ＦＰＣ保持機構
２　携帯機器
３、４　筐体
５、６　　ヒンジ部
７　ＦＰＣ
８　屈曲部
１０　保持ユニット
１１、１２　保持部
１４、１５　保持面
【図１】
2004023034.tif 000003
【図２】
2004023034.tif 000004
【図３】
2004023034.tif 000005
【図４】
2004023034.tif 000006
【図５】
2004023034.tif 000007
【図６】
2004023034.tif 000008
【図７】
2004023034.tif 000009